(57)【要約】【課題】着脱性を向上できるとともに、密着性を確保できる使い捨て吸収性物品を提供する。【解決手段】内向きパネル11の外面部15に第１の面状ファスナ18を配設し、腹側腰回り部７の両側部の上面側に第２の面状ファスナ22を配設することにより、各面状ファスナ18，22を予め係合した状態では、吸収性物品本体１を立体パンツ形状とすることができ、下着のように着脱でき、着脱性を向上できる。装着者の腰回りの両側部で対向する内向きパネル11の外面部15と腹側腰回り部７の上面側とで各面状ファスナ18，22により係合するので、一旦展開した吸収性物品本体１を順次折り畳むだけで容易に立体パンツ形状に形成でき、容易に装着できるとともに、内向きパネル11を設けることで、各面状ファスナ18，22の係合位置をずらして装着者の腰回りのサイズを調整でき、密着性を向上できる。【選択図】図１
2006150068.tif 000002
【特許請求の範囲】
【請求項１】
透液性表面シート、不透液性裏面シート、および、これら透液性表面シートと不透液性裏面シートとの間に配設された吸収体を備え、背側腰回り部、脚回り部を両側部に有する股下回り部、および、腹側腰回り部を連続して形成した吸収性物品本体を具備し、
前記吸収性物品本体は、展開状態で前記透液性表面シートが上面側に位置するとともに前記不透液性裏面シートが下面側に位置し、かつ、前記背側腰回り部と前記腹側腰回り部とのいずれか一方の両側部の上面側に内向きパネルが配設され、
前記内向きパネルは、
前記背側腰回り部と前記腹側腰回り部とのいずれか一方の両側部に位置する外側縁部と、
前記吸収性物品本体の幅方向中心側に位置し、この吸収性物品本体に接合されない内側縁部と、
装着時に装着者の身体側を向く内面部と、
第１の面状ファスナが配設され、装着時に装着者の衣服面側を向く外面部とを有し、
前記背側腰回り部と前記腹側腰回り部とのいずれか他方の両側部の上面側に、前記第１の面状ファスナと係脱自在の第２の面状ファスナがそれぞれ配設されている
ことを特徴とした使い捨て吸収性物品。
【請求項２】
吸収性物品本体は、
透液性表面シート、不透液性裏面シートおよび吸収体を有し、略四角形状に形成された吸収本体と、
この吸収本体の両側部に一方の側縁部がそれぞれ接合されて背側腰回り部の両側部を形成する背側パネルと、
前記吸収本体の両側部に一方の側縁部がそれぞれ接合されて腹側腰回り部の両側部を形成する腹側パネルとを備え、
内向きパネルは、前記背側パネルと前記腹側パネルとのいずれか一方の上面側に位置し、
第２の面状ファスナは、前記背側パネルと前記腹側パネルとのいずれか他方の上面側に配設されている
ことを特徴とした請求項１記載の使い捨て吸収性物品。
【請求項３】
内向きパネルは、吸収性物品本体と別体に設けられ、外側縁部が前記吸収性物品本体の背側腰回り部と腹側腰回り部とのいずれか一方と接合されることで前記吸収性物品本体に配設されている
ことを特徴とした請求項１または２記載の使い捨て吸収性物品。
【請求項４】
両内向きパネルの外側縁部の間および両第２の面状ファスナの間に、吸収性物品本体の幅方向に沿って伸縮可能にそれぞれ配設された胴回り弾性体と、
脚回り部の略全周が伸縮可能となるように前記脚回り部の側縁に沿って配設された脚回り弾性体とを備えている
ことを特徴とした請求項１ないし３いずれか一記載の使い捨て吸収性物品。
【請求項５】
第２の面状ファスナは、第１の面状ファスナよりも大きい幅寸法を有し、
内向きパネルは、前記第２の面状ファスナ以上の幅寸法を有している
ことを特徴とした請求項１ないし４いずれか一記載の使い捨て吸収性物品。
【請求項６】
第１の面状ファスナは、裏面側が内向きパネルの外面部に接合され、表面側が前記内向きパネルの外側縁部側の少なくとも一部にて接合補強手段により補強され、かつ、この補強部分の第２の面状ファスナとの係合力がなくなっている
ことを特徴とした請求項１ないし５いずれか一記載の使い捨て吸収性物品。
【請求項７】
内向きパネルは、背側腰回り部に配設され、
前記内向きパネルに設けられた第１の目印と、
装着時に前記第１の目印と相対する位置にて腹側腰回り部に設けられ、不透液性裏面シート側から目視可能な第２の目印とを具備した
ことを特徴とした請求項１ないし６いずれか一記載の使い捨て吸収性物品。
【請求項８】
透液性表面シート、不透液性裏面シート、および、これら透液性表面シートと不透液性裏面シートとの間に配設された吸収体を備え、背側腰回り部、脚回り部を両側部に有する股下回り部、および、腹側腰回り部を連続して形成した吸収性物品本体を具備し、前記吸収性物品本体は、展開状態で前記透液性表面シートが上面側に位置するとともに前記不透液性裏面シートが下面側に位置し、かつ、前記背側腰回り部と前記腹側腰回り部とのいずれか一方の両側部の上面側に内向きパネルが配設され、前記内向きパネルは、前記背側腰回り部と前記腹側腰回り部とのいずれか一方の両側部に位置する外側縁部と、前記吸収性物品本体の幅方向中心側に位置し、この吸収性物品本体に接合されない内側縁部と、装着時に装着者の身体側を向く内面部と、第１の面状ファスナが配設され、装着時に装着者の衣服面側を向く外面部とを有し、前記背側腰回り部と前記腹側腰回り部とのいずれか他方の両側部の上面側に、前記第１の面状ファスナと係脱自在の第２の面状ファスナがそれぞれ配設されている使い捨て吸収性物品の製造方法であって、
連続内向きパネル本体の幅方向中心部近傍を除く両側部に第１の面状ファスナを配設して連続内向きパネルを形成するパネル形成工程と、
前記連続内向きパネルを所定の長さに切断して複合内向きパネルを形成するパネル切断工程と、
連続透液性表面シートと連続不透液性裏面シートとの間に前記吸収体を配設して、前記吸収性物品本体が幅方向に沿って連続する連続吸収性物品本体を形成する本体形成工程と、
前記複合内向きパネルを、前記連続吸収性物品本体の前記背側腰回り部と前記腹側腰回り部とのいずれか一方の上面側の幅方向の両側部に、幅方向の中心部近傍が対応するように配設するパネル配設工程と、
前記複合内向きパネルの幅方向の中心部近傍を、前記連続吸収性物品本体に接合する接合工程と、
前記連続吸収性物品本体の前記背側腰回り部と前記腹側腰回り部とのいずれか他方の両側部の上面側に、前記第２の面状ファスナを配設するファスナ配設工程と、
前記背側腰回り部と前記腹側腰回り部とが対向するように、前記連続吸収性物品本体の上面側を内側にして折り畳む折り畳み工程と、
この折り畳み工程にて折り畳まれた前記連続吸収性物品本体を、前記複合内向きパネルが略二等分される位置にて切断する本体切断工程と
を具備したことを特徴とした使い捨て吸収性物品の製造方法。
【発明の詳細な説明】
【技術分野】
【０００１】
本発明は、大人用、あるいは失禁用の使い捨て吸収性物品およびその製造方法に関する。
【背景技術】
【０００２】
従来、この種の使い捨て吸収性物品は、透液性表面シートと不透液性裏面シートとの間に吸収体を配設して、背側腰回り部と脚回り部と腹側腰回り部とを順次一体に形成し、腰回り開口部と一対の脚回り開口部とが形成される立体パンツ形状として使用する吸収性物品本体を備えている。この吸収性物品本体は、両脇部分を腰回り開口部から両脚回り開口部にかけてそれぞれ分割して形成した分割部に面ファスナをそれぞれ配設して、背側分割部と腹側分割部とを形成している。これら背側分割部と腹側分割部とは、一方が吸収性物品本体の表側、他方が吸収性物品本体の裏側に設けられている。そして、この種の使い捨て吸収性物品の製造方法としては、吸収性物品本体の表側に位置する分割部にループパイルの面ファスナを配設し、吸収性物品本体の裏側に位置する分割部にフック状の面ファスナを配設するものが知られている（例えば、特許文献１参照。）。
【特許文献１】実開平６−５５６２３号公報（第５−７頁、図１および図３）
【発明の開示】
【発明が解決しようとする課題】
【０００３】
上述の使い捨て吸収性物品では、立体パンツ形状に形成した吸収性物品本体の両脇部が係脱自在に構成されているため、脱衣および再装着に対して有効であり、かつ、両脇部を溶着させることなく展開状態のまま製造できるので製造効率が高いとしている。
【０００４】
しかしながら、各分割部が吸収性物品本体に形成されているので、予め両分割部を係合させて装着する場合はよいが、装着した状態のまま係脱することが容易でない。
【０００５】
また、製造時に立体パンツ形状になっていないため、使用する際にまず分割部を係合させて立体パンツ形状にしなければならず、手間がかかるという問題もある。
【０００６】
そして、各分割部がそれぞれ表裏の位置関係であるため、製造時に立体形状にすることが容易でないので、各分割部を対面すなわち吸収性物品本体の表面側と表面側とで係合させることも考えられるが、対面係合した場合、分割部に対して装着時に剥離方向へと外力が加わり、係合が外れやすくなるという問題も有している。
【０００７】
本発明は、このような点に鑑みなされたもので、着脱性を向上できるとともに、密着性を確保できる使い捨て吸収性物品およびその製造方法を提供することを目的とする。
【０００８】
また、本発明は、製造性を向上した使い捨て吸収性物品の製造方法を提供することを目的とする。
【課題を解決するための手段】
【０００９】
請求項１記載の使い捨て吸収性物品は、透液性表面シート、不透液性裏面シート、および、これら透液性表面シートと不透液性裏面シートとの間に配設された吸収体を備え、背側腰回り部、脚回り部を両側部に有する股下回り部、および、腹側腰回り部を連続して形成した吸収性物品本体を具備し、前記吸収性物品本体は、展開状態で前記透液性表面シートが上面側に位置するとともに前記不透液性裏面シートが下面側に位置し、かつ、前記背側腰回り部と前記腹側腰回り部とのいずれか一方の両側部の上面側に内向きパネルが配設され、前記内向きパネルが、前記背側腰回り部と前記腹側腰回り部とのいずれか一方の両側部に位置する外側縁部と、前記吸収性物品本体の幅方向中心側に位置し、この吸収性物品本体に接合されない内側縁部と、装着時に装着者の身体側を向く内面部と、第１の面状ファスナが配設され、装着時に装着者の衣服面側を向く外面部とを有し、前記背側腰回り部と前記腹側腰回り部とのいずれか他方の両側部の上面側に、前記第１の面状ファスナと係脱自在の第２の面状ファスナがそれぞれ配設されているものである。
【００１０】
そして、背側腰回り部と腹側腰回り部とのいずれか一方の両側部の上面側に配設された内向きパネルの外面部に第１の面状ファスナを配設し、背側腰回り部と腹側腰回り部とのいずれか他方の両側部の上面側に第２の面状ファスナを配設することにより、これら面状ファスナが予め係合された状態では、吸収性物品本体を立体パンツ形状とすることができ、下着のように着脱することが可能となり、着脱性が向上するとともに、各面状ファスナの係合を外すことで、汚れの有無の確認、あるいは、例えばインナに使用するパッドの交換などが容易となり、装着者がその都度衣服を脱ぐ必要がない。また、装着者の腰回りの両側部で対向する内向きパネルの外面部と背側腰回り部および腹側腰回り部のいずれか他方の上面側とで各面状ファスナにより係合するので、一旦展開した吸収性物品本体を順次折り畳むだけで容易に立体パンツ形状に形成でき、容易に装着できるとともに、内向きパネルを設けることで、各面状ファスナの係合位置をずらして装着者の腰回りのサイズを調整でき、密着性が向上する。
【００１１】
請求項２記載の使い捨て吸収性物品は、請求項１記載の使い捨て吸収性物品において、吸収性物品本体が、透液性表面シート、不透液性裏面シートおよび吸収体を有し、略四角形状に形成された吸収本体と、この吸収本体の両側部に一方の側縁部がそれぞれ接合されて背側腰回り部の両側部を形成する背側パネルと、前記吸収本体の両側部に一方の側縁部がそれぞれ接合されて腹側腰回り部の両側部を形成する腹側パネルとを備え、内向きパネルが、前記背側パネルと前記腹側パネルとのいずれか一方の上面側に位置し、第２の面状ファスナが、前記背側パネルと前記腹側パネルとのいずれか他方の上面側に配設されているものである。
【００１２】
そして、略四角形状に形成された吸収本体の両側部に背側パネルの一方の側縁部を接合して背側腰回り部の両側部を形成するとともに、吸収本体の両側部に腹側パネルの一方の側縁部を接合して腹側腰回り部の両側部を形成することで、吸収性物品本体を凹状に切り欠くことなく背側パネルと腹側パネルとの間を脚回り部とすることができるので、材料などの無駄がなく、製造コストが抑制される。
【００１３】
請求項３記載の使い捨て吸収性物品は、請求項１または２記載の使い捨て吸収性物品において、内向きパネルが、吸収性物品本体と別体に設けられ、外側縁部が前記吸収性物品本体の背側腰回り部と腹側腰回り部とのいずれか一方と接合されることで前記吸収性物品本体に配設されているものである。
【００１４】
そして、内向きパネルと吸収性物品本体とを別体とすることで、内向きパネルを吸収性物品本体と別素材で構成できるとともに、内向きパネルを吸収性物品本体に接合するだけで幅が広がるので、製造性および歩留まりが向上する。
【００１５】
請求項４記載の使い捨て吸収性物品は、請求項１ないし３いずれか一記載の使い捨て吸収性物品において、両内向きパネルの外側縁部の間および両第２の面状ファスナの間に、吸収性物品本体の幅方向に沿って伸縮可能にそれぞれ配設された胴回り弾性体と、脚回り部の略全周が伸縮可能となるように前記脚回り部の側縁に沿って配設された脚回り弾性体とを備えているものである。
【００１６】
そして、両内向きパネルの外側縁部の間および両第２の面状ファスナの間に、吸収性物品本体の幅方向に沿って伸縮可能に胴回り弾性体をそれぞれ配設し、脚回り部の略全周が伸縮可能となるように脚回り部の側縁に沿って脚回り弾性体を配設することで、内向きパネル部分および第２の面状ファスナ部分を除く吸収性物品本体の全体が伸縮するので密着性が向上し、また、内向きパネルおよび第２の面状ファスナ部分には弾性体が配設されていないので、各面状ファスナが装着時に収縮することなどがなく、装着性が確保される。
【００１７】
請求項５記載の使い捨て吸収性物品は、請求項１ないし４いずれか一記載の使い捨て吸収性物品において、第２の面状ファスナは、第１の面状ファスナよりも大きい幅寸法を有し、内向きパネルは、前記第２の面状ファスナ以上の幅寸法を有しているものである。
【００１８】
そして、内向きパネルの幅寸法を、第１の面状ファスナよりも大きい幅寸法を有する第２の面状ファスナの幅寸法以上とすることで、内向きパネルが第１の面状ファスナにより必要以上に硬くなることが防止され、かつ、第１の面状ファスナの幅寸法を抑制できるので、製造コストが抑制される。
【００１９】
請求項６記載の使い捨て吸収性物品は、請求項１ないし５いずれか一記載の使い捨て吸収性物品において、第１の面状ファスナは、裏面側が内向きパネルの外面部に接合され、表面側が前記内向きパネルの外側縁部側の少なくとも一部にて接合補強手段により補強され、かつ、この補強部分の第２の面状ファスナとの係合力がなくなっているものである。
【００２０】
そして、第１の面状ファスナの裏面側をパネルの外面部に接合し、第１の面状ファスナの表側を、内向きパネルの外側縁部側の少なくとも一部にて接合補強手段により補強することで、第１の面状ファスナと第２の面状ファスナとの係合を外す際などに第１の面状ファスナが内向きパネルから剥がれたり、内向きパネルが壊れてしまったりすることが防止されるとともに、接合補強手段による補強部分の第２の面状ファスナとの係合力がなくなっていることにより、第１の面状ファスナと第２の面状ファスナとの係合を外す際に、補強部分に外力が加わらないので、第１の面状ファスナの内向きパネルからの剥がれを、より確実に防止することが可能になる。
【００２１】
請求項７記載の使い捨て吸収性物品は、請求項１ないし６いずれか一記載の使い捨て吸収性物品において、内向きパネルは、背側腰回り部に配設され、前記内向きパネルに設けられた第１の目印と、装着時に前記第１の目印と相対する位置にて腹側腰回り部に設けられ、不透液性裏面シート側から目視可能な第２の目印とを具備したものである。
【００２２】
請求項８記載の使い捨て吸収性物品の製造方法は、透液性表面シート、不透液性裏面シート、および、これら透液性表面シートと不透液性裏面シートとの間に配設された吸収体を備え、背側腰回り部、脚回り部を両側部に有する股下回り部、および、腹側腰回り部を連続して形成した吸収性物品本体を具備し、前記吸収性物品本体は、展開状態で前記透液性表面シートが上面側に位置するとともに前記不透液性裏面シートが下面側に位置し、かつ、前記背側腰回り部と前記腹側腰回り部とのいずれか一方の両側部の上面側に内向きパネルが配設され、前記内向きパネルは、前記背側腰回り部と前記腹側腰回り部とのいずれか一方の両側部に位置する外側縁部と、前記吸収性物品本体の幅方向中心側に位置し、この吸収性物品本体に接合されない内側縁部と、装着時に装着者の身体側を向く内面部と、第１の面状ファスナが配設され、装着時に装着者の衣服面側を向く外面部とを有し、前記背側腰回り部と前記腹側腰回り部とのいずれか他方の両側部の上面側に、前記第１の面状ファスナと係脱自在の第２の面状ファスナがそれぞれ配設されている使い捨て吸収性物品の製造方法であって、連続内向きパネル本体の幅方向中心部近傍を除く両側部に第１の面状ファスナを配設して連続内向きパネルを形成するパネル形成工程と、前記連続内向きパネルを所定の長さに切断して複合内向きパネルを形成するパネル切断工程と、連続透液性表面シートと連続不透液性裏面シートとの間に前記吸収体を配設して、前記吸収性物品本体が幅方向に沿って連続する連続吸収性物品本体を形成する本体形成工程と、前記複合内向きパネルを、前記連続吸収性物品本体の前記背側腰回り部と前記腹側腰回り部とのいずれか一方の上面側の幅方向の両側部に、幅方向の中心部近傍が対応するように配設するパネル配設工程と、前記複合内向きパネルの幅方向の中心部近傍を、前記連続吸収性物品本体に接合する接合工程と、前記連続吸収性物品本体の前記背側腰回り部と前記腹側腰回り部とのいずれか他方の両側部の上面側に、前記第２の面状ファスナを配設するファスナ配設工程と、前記背側腰回り部と前記腹側腰回り部とが対向するように、前記連続吸収性物品本体の上面側を内側にして折り畳む折り畳み工程と、この折り畳み工程にて折り畳まれた前記連続吸収性物品本体を、前記複合内向きパネルが略二等分される位置にて切断する本体切断工程とを具備したものである。
【００２３】
そして、本体形成工程にて形成した連続透液性表面シートの背側腰回り部と腹側腰回り部とのいずれか一方の上面側に、パネル形成工程およびパネル切断工程にて製造した複合内向きパネルをパネル配設工程にて配設して接合工程にて接合するとともに、連続透液性表面シートの背側腰回り部と腹側腰回り部とのいずれか他方の上面側に、ファスナ配設工程にて第２の面状ファスナを配設することで、各面状ファスナを連続透液性表面シートの上面側にて体面係合させることが可能になるので、吸収性物品本体の両側部を接合する一般的な横流れタイプのものと同様の工程で容易に製造することが可能となり、製造性が向上する。
【発明の効果】
【００２４】
請求項１記載の発明によれば、背側腰回り部と腹側腰回り部とのいずれか一方の両側部の上面側に配設された内向きパネルの外面部に第１の面状ファスナを配設し、背側腰回り部と腹側腰回り部とのいずれか他方の両側部の上面側に第２の面状ファスナを配設することにより、これら面状ファスナが予め係合された状態では、吸収性物品本体を立体パンツ形状とすることができ、下着のように着脱でき、着脱性を向上できるとともに、各面状ファスナの係合を外すことで、汚れの有無の確認、あるいは、例えばインナに使用するパッドの交換などが容易となり、装着者がその都度衣服を脱ぐ必要がない。また、装着者の腰回りの両側部で対向する内向きパネルの外面部と背側腰回り部および腹側腰回り部のいずれか他方の上面側とで各面状ファスナにより係合するので、一旦展開した吸収性物品本体を順次折り畳むだけで容易に立体パンツ形状に形成でき、容易に装着できるとともに、内向きパネルを設けることで、各面状ファスナの係合位置をずらして装着者の腰回りのサイズを調整でき、密着性を向上できる。
【００２５】
請求項２記載の発明によれば、略四角形状に形成された吸収本体の両側部に背側パネルの一方の側縁部を接合して背側腰回り部の両側部を形成するとともに、吸収本体の両側部に腹側パネルの一方の側縁部を接合して腹側腰回り部の両側部を形成することで、吸収性物品本体を凹状に切り欠くことなく背側パネルと腹側パネルとの間が脚回り部となるので、材料などの無駄がなく、製造コストを抑制できる。
【００２６】
請求項３記載の発明によれば、内向きパネルと吸収性物品本体とを別体とすることで、内向きパネルを吸収性物品本体と別素材で構成できるとともに、内向きパネルを吸収性物品本体に接合するだけで幅が広がるので、製造性および歩留まりを向上できる。
【００２７】
請求項４記載の発明によれば、両内向きパネルの外側縁部の間および両第２の面状ファスナの間に、吸収性物品本体の幅方向に沿って伸縮可能に胴回り弾性体をそれぞれ配設し、脚回り部の略全周が伸縮可能となるように脚回り部の側縁に沿って脚回り弾性体を配設することで、内向きパネル部分および第２の面状ファスナ部分を除く吸収性物品本体の全体が伸縮するので密着性を向上でき、また、内向きパネルおよび第２の面状ファスナ部分には弾性体が配設されていないので、各面状ファスナが装着時に収縮することなどがなく、装着性を確保できる。
【００２８】
請求項５記載の発明によれば、内向きパネルの幅寸法を、第１の面状ファスナよりも大きい幅寸法を有する第２の面状ファスナの幅寸法以上とすることで、内向きパネルが第１の面状ファスナにより必要以上に硬くなることをできかつ、第１の面状ファスナの幅寸法を抑制できるので、製造コストを抑制できる。
【００２９】
請求項６記載の発明によれば、第１の面状ファスナの裏面側をパネルの外面部に接合し、第１の面状ファスナの表側を、内向きパネルの外側縁部側の少なくとも一部にて接合補強手段により補強することで、第１の面状ファスナと第２の面状ファスナとの係合を外す際などに第１の面状ファスナが内向きパネルから剥がれたり、内向きパネルが壊れてしまったりすることを防止できるとともに、接合補強手段による補強部分の第２の面状ファスナとの係合力がなくなっていることにより、第１の面状ファスナと第２の面状ファスナとの係合を外す際に、補強部分に外力が加わらないので、第１の面状ファスナの内向きパネルからの剥がれを、より確実に防止できる。
【００３０】
請求項７記載の発明によれば、背側腰回り部に配設した内向きパネルに第１の目印を設け、装着時にこの第１の目印と相対する位置にて、腹側腰回り部に第２の目印を不透液性裏面シート側から目視可能に設けることで、装着時に第１の目印と第２の目印とを合わせることにより内向きパネルに配設された第１の面状ファスナと腹側腰回り部に配設された第２の面状ファスナとを互いに係合させ易くなり、容易に装着できる。
【００３１】
請求項８記載の発明によれば、本体形成工程にて形成した連続透液性表面シートの背側腰回り部と腹側腰回り部とのいずれか一方の上面側に、パネル形成工程およびパネル切断工程にて製造した複合内向きパネルをパネル配設工程にて配設して接合工程にて接合するとともに、連続透液性表面シートの背側腰回り部と腹側腰回り部とのいずれか他方の上面側に、ファスナ配設工程にて第２の面状ファスナを配設することで、各面状ファスナを連続透液性表面シートの上面側にて体面係合させることが可能になるので、吸収性物品本体の両側部を接合する一般的な横流れタイプのものと同様の工程で容易に製造することが可能となり、製造性を向上できる。
【発明を実施するための最良の形態】
【００３２】
以下、本発明の第１の実施の形態の構成を図面を参照して説明する。
【００３３】
図１は使い捨て吸収性物品を示し、この使い捨て吸収性物品は、例えば使い捨て紙おむつであり、吸収性物品体としての略矩形状の吸収性物品本体１を備えている。この吸収性物品本体１は、透液性を有する透液性表面シート２、不透液性を有する不透液性裏面シート３、および、これら透液性表面シート２と不透液性裏面シート３との間に配設され液吸収性を有する吸収体４にて層状に形成されている。さらに、この吸収性物品本体１には、長手方向に沿って背側腰回り部５、股下回り部６および腹側腰回り部７が長手方向に順次形成され、これら背側腰回り部５と腹側腰回り部７との幅方向の両側部が互いに接合されることで、吸収性物品本体１が、図２に示すように、腰回り開口部８と一対の脚回り開口部９とを有するパンツ形状に形成され、例えば病人、失禁者などの装着者の背部側から腹部側に身体に沿って装着される。
【００３４】
透液性表面シート２は、例えば織布、不織布、多孔性フィルム、或いは合成繊維などの、透液性および通気性を有しかつ肌着に近い感触のシート材で形成され、尿などの排泄液を吸収体４へ透過するとともに、身体に直接接触しても不快感を与えないようになっている。そして、この透液性表面シート２は、図１に示すように、吸収性物品本体１の展開状態で上面側に位置している。
【００３５】
また、不透液性裏面シート３は、例えばポリエチレン(polyethylene)樹脂などの合成樹脂など、不透液性および通気性を有したシート材にて形成され、透液性表面シート２の裏面側に貼着されて、尿などの排泄液にて例えば下着などの他の衣類、或いはシーツなどの汚れを防止している。そして、この不透液性裏面シート３は、吸収性物品本体１の展開状態で下面側に位置している。
【００３６】
さらに、吸収体４は、例えばパルプを主とする材料であって一部に高分子吸収体などの物質を含んだ材料にて矩形シート状に形成され、尿などの排泄液を充分に吸収する。そして、この吸収体４は、透液性表面シート２と不透液性裏面シート３との周縁部が互いに貼着されることで、これら透液性表面シート２と不透液性裏面シート３との間に封着されている。
【００３７】
また、背側腰回り部５は、展開状態における吸収性物品本体１の長手方向の一端側に形成され、この展開状態から吸収性物品本体１が適宜折り曲げられて、装着者の腰回りの背側に位置する部分となっている。そして、この背側腰回り部５の両側部の上面側には、内向きパネル11がそれぞれ配設されている。
【００３８】
これら内向きパネル11は、吸収性物品本体１の長手方向に沿って長手状の略四角形状に形成され、背側腰回り部５の側部に位置する外側縁部12と、吸収性物品本体１の幅方向の中心側に位置する内側縁部13とを備え、装着時に装着者の身体側を向く内面部14と、装着時に装着者の衣服面側を向く外面部15とを有している。すなわち、これら内向きパネル11は、背側腰回り部５の両側部に折り返し形成されている。
【００３９】
そして、各外側縁部12は、背側腰回り部５の両側部とそれぞれ連接し、内向きパネル11を吸収性物品本体１の幅方向の中心側へと折り返す際の折り線部分となっている。
【００４０】
また、各内側縁部13は、吸収性物品本体１に接合されておらず、自由端状となっている。
【００４１】
さらに、各内面部14は、展開状態で吸収性物品本体１の上面側を向き、装着時に装着者の身体側を向くようになっている。
【００４２】
また、各外面部15には、第１の面状ファスナ18がそれぞれ配設されている。これら第１の面状ファスナ18は、内向きパネル11の長手方向に長手状の細長四角形状に形成され、裏面側全体が外面部15に接合されている。
【００４３】
ここで、これら第１の面状ファスナ18は、内向きパネル11の幅方向の外側縁部12側に偏倚していると、内向きパネル11の内側縁部13側が不規則に折れ曲がり、装着時に違和感を生じるおそれがあるため、内向きパネル11の幅方向の中心よりも内側縁部13側に偏倚している方が望ましい。
【００４４】
さらに、股下回り部６は、展開状態における長手方向の中間部に、背側腰回り部５から腹側腰回り部７に亘って吸収性物品本体１の長手方向側に連続して一体に形成され、この展開状態から吸収性物品本体１が適宜折り曲げられて、装着者の股下に位置する部分となっている。そして、この股下回り部６の両側部には、脚回り開口部９を形成する脚回り部21が円弧状に切り欠き形成されている。
【００４５】
また、腹側腰回り部７は、展開状態における吸収性物品本体１の長手方向の股下回り部６の背側腰回り部５と反対側の他端側に連続して一体に形成され、この展開状態から吸収性物品本体１が適宜折り曲げられて、装着者の腰回りの腹側に位置する部分となっている。
【００４６】
さらに、腹側腰回り部７の両外側部近傍には、第１の面状ファスナ18と係脱自在の第２の面状ファスナ22が配設されている。
【００４７】
ここで、各面状ファスナ18，22は、共に幅寸法が広い方が装着性は向上するものの、製造コストが高くなってしまうので、本実施の形態では、第２の面状ファスナ22の幅寸法を、第１の面状ファスナ18よりも大きく、かつ、内向きパネル11の幅寸法より小さい幅寸法を有している。
【００４８】
さらに、望ましい構成としては、第２の面状ファスナ22の幅寸法を、内向きパネル11の幅寸法よりも小さく、かつ、内向きパネル11の幅寸法の半分よりも大きく形成するとともに、第１の面状ファスナ18の幅寸法を、内向きパネル11の幅寸法の半分よりも小さく形成し、また、装着時に第２の面状ファスナ22の外側縁が内向きパネル11の外側縁部12よりも外方に位置しないようにする。
【００４９】
また、これら第２の面状ファスナ22は、吸収性物品本体１の幅方向において、内向きパネル11を吸収性物品本体１の幅方向の中心側に折り返した状態での各第１の面状ファスナ18と略等しい位置に配設されている。そして、これら面状ファスナ18，22を係合させることにより、吸収性物品本体１が図２に示すパンツ形状に形成される。
【００５０】
なお、各面状ファスナ18，22は、いずれか一方がフックファスナで、かつ、いずれか他方がループファスナであればよいが、フックファスナが装着者の肌に当たると違和感を生じることがあるので、第１の面状ファスナ18をフックファスナとし、第２の面状ファスナ22をループファスナとして、フックファスナが常に衣服面側を向くようにすることが好ましい。
【００５１】
次に、上記第１の実施の形態の使い捨て吸収性物品の製造方法を図３を参照して説明する。
【００５２】
まず、図３(a)に示すように、連続内向きパネル本体11aの幅方向の中心部分近傍を除く両側部寄りの位置に、第１の面状ファスナ18をそれぞれ配設して、連続内向きパネル11bを形成する（パネル形成工程）。
【００５３】
次いで、図３(b)に示すように、連続内向きパネル11bを所定の長さに切断して、複合内向きパネル11cを形成する（パネル切断工程）。
【００５４】
さらに、図３(c)に示すように、この複合内向きパネル11cを水平面に沿って９０°回転させる（パネル回転工程）。
【００５５】
一方、図３(d)に示すように、連続透液性表面シート2aと連続不透液性裏面シート3aとの間に吸収体４を配設し、吸収性物品本体１が幅方向に沿って連続する連続吸収性物品本体1aを形成する（本体形成工程）。なお、この連続吸収性物品本体1aと連続内向きパネル11bとは、それぞれ同じ方向に沿って連続して流れている。また、この本体形成工程において、連続吸収性物品本体1aには、連続脚回り部21aが円形状に切り欠き形成される。
【００５６】
次いで、図３(e)に示すように、パネル回転工程にて９０°回転させた複合内向きパネル11cを、連続吸収性物品本体1aの背側腰回り部５である図３(e)に示す上側の上面側に配設する（パネル配設工程）。このとき、複合内向きパネル11cは、幅方向の中心部近傍が、連続吸収性物品本体1aの背側腰回り部５の両側部に対応するように配設する。
【００５７】
そして、図３(f)に示すように、この配設した複合内向きパネル11cの幅方向の中心部近傍を、連続吸収性物品本体1aに、この幅方向に沿って接合する（接合工程）。
【００５８】
さらに、図３(g)に示すように、連続吸収性物品本体1aの腹側腰回り部７である下側の上面側の幅方向の両側部近傍に、第２の面状ファスナ22を配設して接合する（ファスナ配設工程）。
【００５９】
また、図３(h)に示すように、連続吸収性物品本体1aの背側腰回り部５と腹側腰回り部７とが対向するように、連続吸収性物品本体1aの上面側を内側にして折り畳み（折り畳み工程）、各面状ファスナ18，22を互いに係合させる。
【００６０】
そして、図３(i)に示すように、この折り畳み工程にて折り畳まれた連続吸収性物品本体1aを、複合内向きパネル11cが幅方向に略二等分される位置にて切断し（本体切断工程）、パンツ形状に形成された吸収性物品本体１を完成する。
【００６１】
次に、上記第１の実施の形態の作用を説明する。
【００６２】
着脱に際しては、背側腰回り部５の両側部にそれぞれ設けた内向きパネル11に配設した第１の面状ファスナ18と、腹側腰回り部７の両側部に配設した第２の面状ファスナ22とをそれぞれ係合して吸収性物品本体１を図２に示す立体パンツ形状に形成することで、下着のように着脱することが可能となり、着脱性が向上する。
【００６３】
また、装着者が装着した状態で各面状ファスナ18，22の係合を外すことにより、例えば吸収性物品本体１の内部の汚れの有無の確認、あるいは、例えばインナにパッドを使用する場合にはパッドの交換などを容易にでき、装着者がその都度衣服を脱ぐ必要がない。
【００６４】
さらに、装着者の腰回りの両側部で対向する内向きパネル11の外面部15と腹側腰回り部７の上面側とで各面状ファスナ18，22により係合するので、一旦展開状態とした吸収性物品本体１を順次折り畳むだけで容易に立体パンツ形状に再度形成できる。
【００６５】
そして、内向きパネル11を設けることで、各面状ファスナ18，22の係合位置を容易にずらすことができ、腰回り開口部８のサイズを装着者に応じて調整することも可能になり、密着性を向上できる。
【００６６】
また、背側腰回り部５に内向きパネル11を配設することにより、各面状ファスナ18，22を剥がす際に、第２の面状ファスナ22を装着者の背面側から腹面側に向かって剥がすことになるので、各面状ファスナ18，22の係合を容易に剥がすことができる。
【００６７】
さらに、内向きパネル11の幅寸法を、第１の面状ファスナ18よりも大きい幅寸法を有する第２の面状ファスナ22の幅寸法以上とすることで、内向きパネル11が第１の面状ファスナ18により必要以上に硬くなることを防止でき、かつ、第１の面状ファスナ18の幅寸法を抑制できるので、製造コストを抑制できる。
【００６８】
そして、使い捨て吸収性物品の製造に際しては、連続吸収性物品本体1aの上面側である連続透液性表面シート2aの背側腰回り部５側に、第１の面状ファスナ18を接合した複合内向きパネル11cを配設し、連続透液性表面シート2aの腹側腰回り部７側に、第２の面状ファスナ22を配設することで、各面状ファスナ18，22を連続透液性表面シート2aの上面側にて対面係合させることが可能となるので、吸収性物品本体の両側部を接合、すなわちサイドシールをする一般的な横流れタイプの立体パンツ形状の使い捨て吸収性物品と同様の製造工程で容易に製造することが可能となり、製造性を向上できる。
【００６９】
しかも、各面状ファスナ18，22は、製造時においては対面係合となるものの、吸収性物品本体１の装着時には内向きパネル11の内面部14が装着者の身体側を向いて各面状ファスナ18，22が装着者の身体の外周側に位置するから、これら面状ファスナ18，22の係合に対して装着時に、剥離方向、すなわち各面状ファスナ18，22が離間される方向へと外力が加わることもなく、係合が外れやすくなることを確実に防止できる。
【００７０】
なお、上記第１の実施の形態において、透液性表面シート２および不透液性裏面シート３を細長四角形状に形成し、不透液性裏面シート３の透液性表面シート２と反対側である裏側に不透液性の最外層シートを接合して、この最外層シートにて各腰回り部５，７および股下回り部６を形成する吸収性物品本体１とする場合には、内向きパネル11および各面状ファスナ18，22をそれぞれ最外層シートに配設することで、上記第１の実施の形態と同様の作用効果を奏することが可能になる。
【００７１】
また、使い捨て吸収性物品の製造に際しては、例えば折り畳み工程の前に、内向きパネル11の第１の面状ファスナ18が配設されていない外側縁部12の部分を、第２の面状ファスナ22側である腹側腰回り部７と接着剤などで仮止めし、第２の面状ファスナ22が製造中に浮くことを防止するようにしてもよい。
【００７２】
さらに、上記使い捨て吸収性物品の製造工程において、連続吸収性物品本体1aと連続内向きパネル11bとを同じ方向に沿って流さない場合には、回転パネル工程にて回転させる角度を適宜設定し、また、連続吸収性物品本体1aの流れ方向に対して連続内向きパネル11bの流れ方向を直交方向とした場合には、回転パネル工程を省略できる。
【００７３】
そして、図４に示すように、吸収性物品本体１の長手方向の内向きパネル11が設けられていない側、すなわち本実施の形態では腹側腰回り部７の幅方向の両側部に、摘み部24を設ける構成も可能である。この場合には、摘み部24を摘んで第２の面状ファスナ22を第１の面状ファスナ18から剥がし易くなる。
【００７４】
次に、第２の実施の形態を図５を参照して説明する。なお、上記第１の実施の形態と同様の構成および作用については、同一符号を付してその説明を省略する。
【００７５】
この図５に示す実施の形態では、吸収性物品本体１が、略四角形状に形成された吸収本体25と、この吸収本体25の両側部に設けられた背側パネル26，26および腹側パネル27，27とを備えている。
【００７６】
吸収本体25は、透液性表面シート２と、不透液性裏面シート３と、これら透液性表面シート２と不透液性裏面シート３との間に封着された吸収体４とを備えている。
【００７７】
また、背側パネル26は、略四角形状に形成され、吸収本体25の長手方向の一端側の幅方向の両側部に、一方の側縁部がそれぞれ接合されて吸収本体25の外方に突出し、背側腰回り部５の両側部を形成している。そして、これら背側パネル26には、第１の面状ファスナ18が接合された内向きパネル11が幅方向の両側部に配設されている。
【００７８】
さらに、腹側パネル27は、背側パネル26と同様の略四角形状に形成され、吸収本体25の長手方向の他端側の幅方向の両側部に、一方の側縁部がそれぞれ接合されて吸収本体25の外方に突出し、腹側腰回り部７の両側部を形成している。また、これら腹側パネル27には、それぞれ第２の面状ファスナ22が配設されている。
【００７９】
そして、各パネル26，27は、吸収性物品本体１の長手方向に離間され、この離間部分が、脚回り部21となっている。
【００８０】
このように、上記第２の実施の形態によれば、吸収本体25の両側部に背側パネル26，26の一方の側縁部を接合して背側腰回り部５の両側部を形成するとともに、吸収本体25の両側部に腹側パネル27，27の一方の側縁部を接合して腹側腰回り部７を形成することで、吸収性物品本体１を凹状に切り欠くことなく背側パネル26と腹側パネル27との間が脚回り部21となるので、材料などの無駄がなく、製造コストを抑制できる。
【００８１】
次に、第３の実施の形態を図６を参照して説明する。なお、上記各実施の形態と同様の構成および作用については、同一符号を付してその説明を省略する。
【００８２】
この図６に示す実施の形態では、各内向きパネル11が吸収性物品本体１とそれぞれ別体に設けられ、外側縁部12が吸収性物品本体１の背側腰回り部５の幅方向の両側部に接合されることで吸収性物品本体１に配設されている。
【００８３】
すなわち、内向きパネル11は、例えば織布、不織布、あるいは熱可塑性樹脂フィルムなどにより形成されている。なお、熱可塑性フィルムで形成する場合には、内面側に不織布などをラミネートして肌触りを向上することが好ましい。
【００８４】
そして、これら内向きパネル11は、両側部が長手方向に沿って接合部28にて吸収性物品本体１の背側腰回り部５の幅方向の両側部に、例えば熱シール、あるいはホットメルト接着剤などで接合されている。
【００８５】
このように、上記第３の実施の形態によれば、内向きパネル11と吸収性物品本体１とを別体とすることで、内向きパネル11を吸収性物品本体１と別素材で構成できるとともに、内向きパネル11を吸収性物品本体１に接合するだけで使い捨て吸収性物品の幅、すなわち腰回り開口部８が広がるので、例えば吸収性物品本体１の幅を広げて内向きパネル11を形成する場合と比較して、製造性および歩留まりを向上できる。
【００８６】
次に、第４の実施の形態を図７を参照して説明する。なお、上記各実施の形態と同様の構成および作用については、同一符号を付してその説明を省略する。
【００８７】
この図７に示す実施の形態では、背側腰回り部５の両内向きパネル11の外側縁部12の間に、吸収性物品本体１の幅方向に沿って、複数の背側胴回り弾性体31が配設されているとともに、腹側腰回り部７の両第２の面状ファスナ22の間にて、吸収性物品本体１の幅方向に沿って、複数の腹側胴回り弾性体32が配設され、これら背側胴回り弾性体31および腹側胴回り弾性体32により、胴回り弾性体33が構成されている。
【００８８】
ここで、各胴回り弾性体31，32は、例えば紐状ゴムなどの伸縮可能な部材であり、吸収性物品本体１の幅方向に伸長された状態で透液性表面シート２と不透液性裏面シート３との間に配設され、吸収性物品本体１をパンツ形状とした状態で、装着者の胴回りの内向きパネル11を除く略全周に弾性を付与している。
【００８９】
また、脚回り部21の近傍には、一対の脚回り弾性体34がそれぞれ配設されている。これら脚回り弾性体34は、例えば紐状ゴムなどの伸縮可能な部材である。
【００９０】
そして、背側腰回り部５側に位置した脚回り弾性体34は、吸収性物品本体１の背側腰回り部５の一側部から、一方の脚回り部21の側縁に沿い、吸収体４を横断して他方の脚回り部21の側縁に沿って、背側腰回り部５の他側部に亘って連続している。さらに、腹側腰回り部７側に位置した脚回り弾性体34は、吸収性物品本体１の腹側腰回り部７の一側部から、一方の脚回り部21の側縁に沿い、吸収体４を横断して他方の脚回り部21の側縁に沿って、腹側腰回り部７の他側部に亘って連続している。
【００９１】
そして、これら脚回り弾性体34は、吸収性物品本体１の幅方向に伸長された状態で透液性表面シート２と不透液性裏面シート３との間に位置し、吸収性物品本体１をパンツ形状とした状態で、脚回り部21の略全周が伸縮可能となるように配設されている。
【００９２】
この結果、上記第４の実施の形態によれば、内向きパネル11部分を除く吸収性物品本体１の全体が伸縮するので、装着者の身体への密着性を向上できる。
【００９３】
また、内向きパネル11および第２の面状ファスナ22部分には各弾性体33，34が配設されていないので、各面状ファスナ18，22が装着時に収縮して装着性を阻害することなどがなく、装着性を確保できる。
【００９４】
さらに、脚回り弾性体34が吸収体４を横断しているので、脚回り弾性体34の収縮により吸収体４の幅方向の中心部分が起立して透液性表面シート２を介して装着者の股下に密着するので、漏れを確実に防止できる。
【００９５】
次に、第５の実施の形態を図８を参照して説明する。なお、上記各実施の形態と同様の構成および作用については、同一符号を付してその説明を省略する。
【００９６】
この図８に示す実施の形態では、各第１の面状ファスナ18の裏面側が内向きパネル11の外面部15にそれぞれ接合され、各第１の面状ファスナ18の表面側が内向きパネル11の外側縁部12側にて接合補強手段35によりそれぞれ補強され、かつ、各第１の面状ファスナ18の接合補強手段35による補強部分は、第２の面状ファスナ22との係合力がなくなっている。
【００９７】
これら接合補強手段35は、内向きパネル11と第１の面状ファスナ18との接合強度を補強でき、かつ、第１の面状ファスナ18の接合補強手段35による補強部分の係合力がなくなるものであればどのようなものでもよいが、例えば熱シール、あるいはフィルム状のテープなどとする。
【００９８】
また、これら接合補強手段35は、第１の面状ファスナ18の外側縁から内向きパネル11に亘って形成されている。
【００９９】
この結果、上記第５の実施の形態によれば、各面状ファスナ18，22の係合を外す際などに、第１の面状ファスナ18が内向きパネル11から剥がれたり、内向きパネル11が壊れてしまったりすることを防止できる。
【０１００】
また、第１の面状ファスナ18の接合補強手段35による補強部分の係合力がなくなるようにすることで、各面状ファスナ18，22の係合を剥がす際に、第１の面状ファスナ18の補強部分に外側縁から外力が加わらないので、第１の面状ファスナ18が内向きパネル11から剥がれることを、より確実に防止できる。
【０１０１】
なお、上記第５の実施の形態において、図９に示すように、第２の面状ファスナ22の表面側を、第１の面状ファスナ18と同様に、内向きパネル11が配設されていない側である腹側腰回り部７の両側部にて補強手段36により接合して補強する構成とすることも可能である。この場合には、例えば補強手段36をテープ状などとする際に、これら補強手段36を腹側腰回り部７の両側部からそれぞれ突出するまで幅方向に延長して、これら補強手段36に、腹側腰回り部７から外方に突出する摘み部24をそれぞれ突設することが可能となる。
【０１０２】
次に、第６の実施の形態を図１０を参照して説明する。なお、上記各実施の形態と同様の構成および作用については、同一符号を付してその説明を省略する。
【０１０３】
この第６の実施の形態は、背側腰回り部５に内向きパネル11，11がそれぞれ配設され、これら内向きパネル11，11の外面部15側に、第１の目印41が配設されているとともに、吸収性物品本体１の装着時に、第１の目印41に相対する位置にて、腹側腰回り部７に、第２の目印42が配設されているものである。
【０１０４】
第１の目印41は、内向きパネル11の第１の面状ファスナ18の近傍、かつ、この第１の面状ファスナ18よりも外側縁部12寄りの位置にて、この第１の面状ファスナ18の長手方向両端部近傍にそれぞれ設けられた目印41a，41bを有している。これら目印41a，41bは、本実施の形態では、例えば着色、あるいはエンボス加工などにより、円状に形成されている。
【０１０５】
また、第２の目印42は、吸収性物品本体１の装着時に第１の目印41の各目印41a，41bに相対する位置にて、目印42a，42bを有している。すなわち、これら目印42a，42bは、第２の面状ファスナ22の近傍、かつ、この第２の面状ファスナ22よりも腹側腰回り部７の両外側縁部寄りの位置にて、この第２の面状ファスナ22の長手方向両端部近傍にそれぞれ設けられている。これら目印42a，42bは、各目印41a，41bに対応する形状、すなわち、本実施の形態では、例えば着色、あるいはエンボス加工などにより、円状に形成されている。
【０１０６】
さらに、第２の目印42は、不透液性裏面シート３側から目視可能となっている。ここで、各第２の目印42は、不透液性裏面シート３側から目視できれば、透液性表面シート２、あるいは不透液性裏面シート３のいずれに設けてもよく、これらシート２，３の両方に設けてもよい。
【０１０７】
そして、このように構成することで、吸収性物品本体１の装着時に第１の目印41の各目印41a，41bと第２の目印42の各目印42a，42bとを合わせることにより、内向きパネル11に配設された第１の面状ファスナ18と腹側腰回り部７に配設された第２の面状ファスナ22とを互いに係合させ易くなり、容易に装着できる。
【０１０８】
また、各目印41a，41bを各第１の面状ファスナ18の長手方向両端部の近傍、すなわち２箇所ずつに設け、各目印42a，42bを各第２の面状ファスナ22の長手方向両端部の近傍に設けることにより、目印を１箇所のみに設ける場合と比較して、第１の目印41と第２の目印42との位置合わせがしやすく、装着がより容易になるとともに、各面状ファスナ18，22の全体を確実に係合させることができる。
【０１０９】
さらに、第２の目印42を、各シート２，３の両方に配設した場合には、表側および裏側のいずれ側からも装着時に第２の目印42を確認できるので、装着がより容易になる。
【０１１０】
なお、上記第６の実施の形態において、図１１に示すように、第１の目印41の目印41a，41bを第１の面状ファスナ18，18のそれぞれに配設し、第２の目印42の目印42a，42bを第２の面状ファスナ22，22のそれぞれに配設する構成とすることも可能である。この場合には、各目印41a，41bと各目印42a，42bとを合わせた際に、第１の面状ファスナ18，18と第２の面状ファスナ22，22とを、より確実に係合可能となる。
【０１１１】
また、各目印41a，41bおよび各目印42a，42bの形状は、特に円状に限定されるものではなく、例えば矩形状、線状、これら形状の組み合わせによる模様、あるいは文字などでもよい。
【０１１２】
さらに、各目印41，42を目印41a，41bおよび目印42a，42bのように２箇所ずつに設ける場合には、図１２に示すように、装着時に互いに相対する目印41a，42aおよび目印41b，42bのみをそれぞれ同一形状とし、相対さない目印41a，42bおよび目印41b，42aを互いに異なる形状、色、あるいは模様となるように構成してもよい。この場合には、互いに合わせる目印41a，42a、および、目印41b，42bを確認し易くなるので、装着性がより向上する。
【０１１３】
そして、各目印41，42は、目印41a，41b、目印42a，42bのように２箇所ずつに設ける他に、左右に１箇所ずつ設ける構成、あるいは、目印41a，41bに代えて、各第１の面状ファスナ18全体に着色する構成などとしてもよい。これらの場合には、各目印41，42を設ける工程が簡略化され、製造性が向上する。
【０１１４】
また、第１の目印41は、第１の面状ファスナ18を第２の面状ファスナ22に容易に係合させることが可能な位置であれば、内向きパネル11のいずれの位置に設けてもよい。この場合には、第２の目印42の位置も、第１の目印41の位置に応じて適宜設定する。
【０１１５】
次に、第７の実施の形態を図１３を参照して説明する。なお、上記各実施の形態と同様の構成および作用については、同一符号を付してその説明を省略する。
【０１１６】
この第７の実施の形態は、上記第１の実施の形態において、各内向きパネル11の第１の面状ファスナ18が、長手方向すなわち縦方向に分割されたファスナ18a，18bによりそれぞれ構成され、かつ、各内向きパネル11の吸収性物品本体１の各内側縁部13に、長手方向の中心側にて、各ファスナ18a，18bの間に切欠部44が切り欠き形成され、この切欠部44の両端部に、突出部45，45が形成されているものである。
【０１１７】
ファスナ18a，18bは、長手方向に互いに離間され、それぞれ内向きパネル11の長手方向両端部近傍に配設されている。
【０１１８】
また、切欠部44は、略円弧状に形成され、両ファスナ18a，18b間に一部が臨むように設けられている。
【０１１９】
さらに、各突出部45は、切欠部44に連続しこの切欠部44と反対方向に円弧状となるように形成されている。
【０１２０】
そして、このように構成することで、装着状態から吸収性物品本体１を展開する際に、切欠部44に指などを挿入したり、あるいは突出部45を摘んだりして各内向きパネル11を引っ張ることで、各面状ファスナ18，22の係合を容易に外すことができる。
【０１２１】
なお、上記第２ないし第６の実施の形態において、上記第７の実施の形態に示すように、第１の面状ファスナ18を吸収性物品本体１の長手方向に分割しても、同様の作用効果を奏することは言うまでもない。
【０１２２】
また、上記第３ないし第７の実施の形態において、不透液性裏面シート３の透液性表面シート２と反対側である裏側に不透液性の最外層シートを接合する場合には、第１の実施の形態と同様に、内向きパネル11および各面状ファスナ18，22をそれぞれ最外層シートに配設することで、上記第３ないし第７の実施の形態と同様の作用効果を奏することが可能になる。
【０１２３】
そして、上記各実施の形態において、内向きパネル11を腹側腰回り部７に形成し、第２の面状ファスナ22を背側腰回り部５に配設してもよい。この場合には、上記のそれぞれの構成を、背側と腰側とで入れ替えて対応させる。そして、内向きパネル11を腹側腰回り部７に形成することで、各面状ファスナ18，22を剥がす際に、第２の面状ファスナ22を装着者の腹面側から背面側に向かって剥がすことになるので、各面状ファスナ18，22の係合が剥がれにくくなり、これら面状ファスナ18，22の係合が不用意に外れてしまうことを防止できる。
【図面の簡単な説明】
【０１２４】
【図１】本発明の第１の実施の形態の使い捨て吸収性物品の展開状態を一部を切り欠いて示す平面図である。
【図２】同上使い捨て吸収性物品の装着状態を示す説明正面図である。
【図３】(a)は同上使い捨て吸収性物品の製造方法のパネル形成工程を示す説明図、(b)は同上使い捨て吸収性物品の製造方法のパネル切断工程を示す説明図、（c）は同上使い捨て吸収性物品の製造方法のパネル回転工程を示す説明図、(d)は同上使い捨て吸収性物品の製造方法の本体形成工程を示す説明図、(e)は同上使い捨て吸収性物品の製造方法のパネル配設工程を示す説明図、(f)は同上使い捨て吸収性物品の製造方法の接合工程を示す説明図、(g)は同上使い捨て吸収性物品の製造方法のファスナ配設工程を示す説明図、(h)は同上使い捨て吸収性物品の製造方法の折り畳み工程を示す説明図、(i)は同上使い捨て吸収性物品の製造方法の本体切断工程を示す説明図である。
【図４】同上使い捨て吸収性物品の他の実施の形態の展開状態を示す平面図である。
【図５】本発明の第２の実施の形態の使い捨て吸収性物品の展開状態を示す平面図である。
【図６】本発明の第３の実施の形態の使い捨て吸収性物品の展開状態を示す平面図である。
【図７】本発明の第４の実施の形態の使い捨て吸収性物品の展開状態を一部を切り欠いて示す平面図である。
【図８】本発明の第５の実施の形態の使い捨て吸収性物品の展開状態を示す平面図である。
【図９】同上使い捨て吸収性物品の他の実施の形態の展開状態を示す平面図である。
【図１０】本発明の第６の実施の形態の使い捨て吸収性物品の展開状態を示す平面図である。
【図１１】同上使い捨て吸収性物品の他の実施の形態の展開状態を示す平面図である。
【図１２】同上使い捨て吸収性物品のさらに他の実施の形態の展開状態を示す平面図である。
【図１３】本発明の第７の実施の形態の使い捨て吸収性物品の展開状態を示す平面図である。
【符号の説明】
【０１２５】
１    吸収性物品本体
1a    連続吸収性物品本体
２    透液性表面シート
2a    連続透液性表面シート
３    不透液性裏面シート
3a    連続不透液性裏面シート
４    吸収体
５    背側腰回り部
６    股下回り部
７    腹側腰回り部
11    内向きパネル
11a   連続内向きパネル本体
11b   連続内向きパネル
11c   複合内向きパネル
12    外側縁部
13    内側縁部
14    内面部
15    外面部
18    第１の面状ファスナ
21    脚回り部
22    第２の面状ファスナ
25    吸収本体
26    背側パネル
27    腹側パネル
33    胴回り弾性体
34    脚回り弾性体
35    接合補強手段
41    第１の目印
42    第２の目印
【図１】
2006150068.tif 000003
【図２】
2006150068.tif 000004
【図３】
2006150068.tif 000005
【図４】
2006150068.tif 000006
【図５】
2006150068.tif 000007
【図６】
2006150068.tif 000008
【図７】
2006150068.tif 000009
【図８】
2006150068.tif 000010
【図９】
2006150068.tif 000011
【図１０】
2006150068.tif 000012
【図１１】
2006150068.tif 000013
【図１２】
2006150068.tif 000014
【図１３】
2006150068.tif 000015